(57)【要約】【課題】背もたれ装置の提供。【解決手段】背もたれ装置Aは、少なくとも１個の接触もたれ部品１０、少なくとも１個の連接ユニット２０を備え、少なくとも１個の連接ユニット２０は、２個のバネ２１、２個の接続部品２２、連接部品２３を備え、２個のバネ２１は、第一端部２１１、第二端部２１２を備え、２個の接続部品２２は少なくとも１個の接触もたれ部品１０に連接し、２個の接続部品２２は少なくとも１個の第一係合ブロック２２３を備え、これにより２個のバネ２１の第一端部２１１に係合して固定し、連接部品２３はそれぞれ少なくとも１個の第二係合ブロック２３３を備え、これにより２個のバネ２１の第二端部２１２にそれぞれ固定して連接する。【選択図】図２
0003152358.tif 000002
【実用新案登録請求の範囲】
【請求項１】
少なくとも１個の接触もたれ部品、少なくとも１個の連接ユニットを備え、
前記少なくとも１個の連接ユニットは、２個のバネ、２個の接続部品、連接部品を備え、前記２個のバネは、第一端部、及び前記第一端部と反対向きに設置する第二端部を備え、前記２個の接続部品は、前記少なくとも１個の接触もたれ部品に固定して連接し、前記２個の接続部品は、前記２個のバネの第一端部にそれぞれ固定して連接し、
前記連接部品は、２個の連接部を備え、
前記２個の連接部は、前記２個のバネの第二端部にそれぞれ固定して連接することを特徴とする背もたれ装置。
【請求項２】
前記２個の接続部品は、少なくとも１個の第一係合ブロックをそれぞれ備え、前記２個のバネの第一端部を係合して固定し、
前記連接部品の２個の連接部は、少なくとも１個の第二係合ブロックを備え、前記２個のバネの第二端部を係合して固定することを特徴とする請求項１に記載の背もたれ装置。
【請求項３】
前記背もたれ装置はさらに、２個の嵌接部品を備え、
前記２個の嵌接部品は、前記２個のバネの外側周縁に、嵌設して結合することを特徴とする請求項１に記載の背もたれ装置。
【請求項４】
前記少なくとも１個の接触もたれ部品後側端面には、２個の定位ブロックを備え、
前記２個の定位ブロック内には、内ネジヤマ部を備えるネジ孔をそれぞれ結合し、
前記２個の嵌接部品は、それぞれ穿孔を備え、２個のネジにより、前記２個の穿孔を貫通し、さらに前記ネジ孔の内ネジヤマ部に螺入、こうして前記２個の嵌接部品は、前記２個の定位ブロックを固定して連接することを特徴とする請求項１に記載の背もたれ装置。
【請求項５】
前記背もたれ装置はさらに、イスのフレームを備え、
前記フレーム内部には、ナットを固定して結合し、
前記連接部品は、貫通孔を備え、ボルトにより、該連接部品の貫通孔を通過し、前記フレームのナットに螺入、こうして前記連接部品は、前記フレームに固定して結合されることを特徴とする請求項１に記載の背もたれ装置。
【請求項６】
前記２個の嵌接部品は、湾曲特性を備える材質により製造することを特徴とする請求項３に記載の背もたれ装置。
【考案の詳細な説明】
【技術分野】
【０００１】
本考案は背もたれ装置に関し、特に背もたれ装置をイスに結合し、着席者の背部と一緒に同期に同一方位へと活動する背もたれ装置に関する。
【背景技術】
【０００２】
一般のイスの背もたれは、固定され、活動できない方式で、イスに結合されている。人がイスに着席し、背部を後方へと、固定状態を呈する背もたれに押し付けると、着席者の背部は、該背もたれにより圧迫される。これにより、着席者は、背部に不快感を持つ。本考案は、従来の背もたれの上記した欠点に鑑みてなされたものである。
【考案の概要】
【考案が解決しようとする課題】
【０００３】
本考案が解決しようとする課題は、２個のバネの全方位へのフレキシブルな動きにより、着席者の背部が少なくとも１個の接触もたれ部品に接触すると緩衝作用を生じ、着席において快適さを感じることができる背もたれ装置を提供することである。
【課題を解決するための手段】
【０００４】
上記課題を解決するため、本考案は下記の背もたれ装置を提供する。
背もたれ装置は、少なくとも１個の接触もたれ部品、少なくとも１個の連接ユニットを備え、
該少なくとも１個の接触もたれ部品後側端面には、２個の定位ブロックを備え、
該少なくとも１個の連接ユニットは、２個のバネ、２個の接続部品、連接部品を備え、
該２個のバネは、第一端部、及び該第一端部と反対向きに設置する第二端部を備え、
該２個の接続部品は、該少なくとも１個の接触もたれ部品の２個の定位ブロックに連接し、該２個の接続部品は、少なくとも１個の第一係合ブロックをそれぞれ備え、これにより該２個のバネの第一端部にそれぞれ固定して連接し、
該連接部品は、２個の連接部を備え、
該２個の連接部は、少なくとも１個の第二係合ブロックをそれぞれ備え、これにより該２個のバネの第二端部にそれぞれ固定して連接し、
該連接部品は、イスに固定して連接する。  
【考案の効果】
【０００５】
本考案は、２個のバネの全方位へのフレキシブルな動きにより、着席者の背部が少なくとも１個の接触もたれ部品に接触すると緩衝作用を生じ、着席において快適さを感じることができる。
【図面の簡単な説明】
【０００６】
【図１】本考案を事務用イスに結合する実施例の立体図である。
【図２】本考案背もたれ装置の第一実施例の立体分解図である。
【図３】図２の組合せ断面図である。
【図４】本考案背もたれ装置第一実施例のスイング動作の平面図である。
【図５】本考案背もたれ装置を自動車用イスに結合する実施例の平面概略図である。
【図６】本考案背もたれ装置の第二実施例の立体分解図である。
【図７】図６の組合せ断面図である。
【考案を実施するための形態】
【０００７】
以下に図面を参照しながら本考案を実施するための最良の形態について詳細に説明する。
【実施例】
【０００８】
図１、２、３に示すように、本考案背もたれ装置Aは、イスに結合する。イスは、一般の室内イス、自動車用イス、事務用イス、或いは他のイスである。本考案背もたれ装置Aの第一実施例は、事務用イス３０に結合する。背もたれ装置Aは、少なくとも１個の接触もたれ部品１０、少なくとも１個の連接ユニット２０を備える。少なくとも１個の接触もたれ部品１０後側端面には、２個の定位ブロック１１を設置する。２個の定位ブロック１１内には、内ネジヤマ部１２を備えるネジ孔１３を、それぞれ備える。
【０００９】
少なくとも１個の連接ユニット２０は、２個のバネ２１、２個の接続部品２２、連接部品２３、２個の嵌接部品２４を備える。２個のバネ２１は、伸縮弾性を備え、任意に曲げることができる。２個のバネ２１は、第一端部２１１、及び第一端部２１１と反対向きに設置する第二端部２１２を備える。
【００１０】
２個の接続部品２２は、それぞれ穿孔２２１を備え、２個のネジ２２２により、穿孔２２１をそれぞれ通過し、さらに、ネジ孔１３の内ネジヤマ部１２に螺入する。これにより、２個の接続部品２２は、少なくとも１個の接触もたれ部品１０の２個の定位ブロック１１上に連結する。２個の接続部品２２は、少なくとも１個の第一係合ブロック２２３をそれぞれ備え、２個のバネ２１の第一端部２１１に係合して連接する。これにより、２個の接続部品２２は固定され、２個のバネ２１の第一端部２１１と結合する。
【００１１】
連接部品２３は、２個の連接部２３１と貫通孔２３２を備える。２個の連接部２３１は、少なくとも１個の第二係合ブロック２３３をそれぞれ備え、２個のバネ２１の第二端部２１２に係合して連接する。これにより、連接部品２３は固定され、２個のバネ２１の第二端部２１２と結合する。２個の嵌接部品２４は、湾曲特性を備える材質により製造し、中空部２４１をそれぞれ備える。２個の嵌接部品２４は、中空部２４１により、２個のバネ２１外側周縁に嵌設する。
【００１２】
図３、４に示すように、背もたれ装置Aを事務用イス３０に結合する時、事務用イス３０のフレーム３１内部には、ナット３１１を固定して結合し、ボルト２３４により、連接部品２３の貫通孔２３２を通過し、さらに、フレーム３１のナット３１１に螺入する。これにより、連接部品２３は、フレーム３１に固定して結合し、背もたれ装置Aと事務用イス３０は安定的に結合する。着席者の背部が、少なくとも１個の接触もたれ部品１０に接触し、着席者の背部が、上下左右の全方位へと動くと、連接ユニット２０の２個のバネ２１の任意に湾曲可動する特性により、少なくとも１個の接触もたれ部品１０と２個のバネ２１は、一緒に同期に同角度に動くため、着席者は快適さを感じることができる。また、２個のバネ２１には、２個の嵌接部品２４を嵌設するため、動作湾曲の過程において、使用者を傷つける恐れを払拭する。
【００１３】
図５に示すように、背もたれ装置Aが、自動車用イス４０に結合する時、補助背もたれとして用いられる。自動車用イス４０は、ヘッドレスト４１、背もたれ４２、座クッション４３を備える。背もたれ装置Aの連接部品２３は、背板５０を結合し、背板５０の横板５１を背もたれ４２と座クッション４３との間に形成する隙間４４に挿入して固定する。さらに、背板５０上に連接するベルト体５２により、ヘッドレスト４１と背もたれ４２との間に掛けて連接する。これにより、背もたれ装置Aと自動車用イス４０とは、安定的に結合する。着席者の背部が、少なくとも１個の接触もたれ部品１０に接触し、着席者の背部が、上下左右の全方位へと動くと、連接ユニット２０の２個のバネ２１の任意に湾曲可動する特性により、少なくとも１個の接触もたれ部品１０と２個のバネ２１は、一緒に同期に同角度に動くため、着席者は快適さを感じることができる。
【００１４】
本考案背もたれ装置の第二実施例の立体分解図である図６、７に示すように、本考案第二実施例は、少なくとも１個の接触もたれ部品１０、少なくとも１個の連接ユニット２０を備える。少なくとも１個の接触もたれ部品１０の構造は、上記した実施例と相同であるため、再度の記載はしない。上記した実施例中では、２個の接続部品２２は、第一係合ブロック２２３が２個のバネ２１の第一端部２１１に係合して連接し、連接部品２３の連接部２３１は、第二係合ブロック２３３が、２個のバネ２１の第二端部２１２に係合して連接する。図６、７に示す第二実施例では、２個の接続部品２２は、２個の第一係合ブロック２２３が２個のバネ２１の第一端部２１１に係合して連接し、連接部品２３の連接部２３１は、２個の第二係合ブロック２３３が、２個のバネ２１の第二端部２１２に係合して連接する。
【００１５】
本考案は２個のバネ２１の第一端部２１１において、２個の接続部品２２の少なくとも１個の第一係合ブロック２３３とそれぞれ係合して固定し、２個のバネ２１の第二端部２１２は、連接部品２３の少なくとも１個の第二係合ブロック２３３とそれぞれ係合して固定する。２個の接続部品２２は、少なくとも１個の接触もたれ部品１０に結合し、連接部品２３はイスに連接する。人がイスに着席する時、着席者の背部が、少なくとも１個の接触もたれ部品１０に接触し、着席者の背部が、上下左右へと動くと、任意に湾曲可動するバネ２１の同期活動及び緩衝作用により、着席者は快適さを感じることができる。また、２個のバネ２１には、２個の嵌接部品２４を嵌設するため、バネ２１の湾曲動作の過程において、使用者を傷つける恐れを払拭し、高い安全性を保証することができる。
【産業上の利用可能性】
【００１６】
本考案は実用新案の要件である新規性を備え、従来の同類製品に比べ十分な進歩を有し、実用性が高く、社会のニーズに合致しており、産業上の利用価値は非常に大きい。
【符号の説明】
【００１７】
１０  接触もたれ部品
１１  定位ブロック
１２  内ネジヤマ部
１３  ネジ孔
２０  連接ユニット
２１  バネ
２１１  第一端部
２１２  第二端部
２２  接続部品
２２１  穿孔
２２２  ネジ
２２３  第一係合ブロック
２３  連接部品
２３１  連接部
２３２  貫通孔
２３３  第二係合ブロック
２３４  ボルト
２４  嵌接部品
２４１  中空部
３０  事務用イス
３１  フレーム
３１１  ナット
４０  自動車用イス
４１  ヘッドレスト
４２  背もたれ
４３  座クッション
４４  隙間
５０  背板
５１  横板
５２  ベルト体
A  背もたれ装置
【図１】
0003152358.tif 000003
【図２】
0003152358.tif 000004
【図３】
0003152358.tif 000005
【図４】
0003152358.tif 000006
【図５】
0003152358.tif 000007
【図６】
0003152358.tif 000008
【図７】
0003152358.tif 000009